(57)【要約】【課題】  リモコン受信機のＩＤ切り替えを容易かつ確実に行うことができるリモコン装置およびそれを具備する照明器具を提供する。【解決手段】  リモコン受信機２は、ＩＤ変更スイッチ２１により、リモコン受信機２のＩＤを変更可能な状態とすることができる。ＩＤ変更スイッチ２１はオンかオフかに切り替え可能であり、このＩＤ変更スイッチ２１がオン状態にあるときに、リモコン送信機１からＩＤを含む信号が送信された場合、リモコン受信機２におけるＩＤ切り替え設定部２２により、リモコン送信機１から送信されたＩＤがリモコン受信機２のＩＤとして設定される。【選択図】          図１
2006013572.tif 000002
【特許請求の範囲】
【請求項１】
所定のＩＤを有するリモコン送信機と、所定のＩＤを有するリモコン受信機とを具備し、所定の器具を遠隔操作するための操作信号とともに前記リモコン送信機から送信されるＩＤと前記リモコン受信機のＩＤとが一致する際に、前記リモコン受信機にて前記操作信号を許容するリモコン装置であって、
前記リモコン受信機は、オンかオフかによりＩＤ変更を行うか否かを切り替えるＩＤ変更スイッチと、当該ＩＤ変更スイッチがオン状態にある間、前記リモコン送信機から送信されたＩＤをリモコン受信機のＩＤに設定するＩＤ切り替え設定部とを有することを特徴とするリモコン装置。
【請求項２】
前記ＩＤ変更スイッチは、プッシュスイッチであることを特徴とする請求項１記載のリモコン装置。
【請求項３】
前記リモコン送信機は、所定のＩＤを複数有し、当該複数のＩＤのうち、いずれのＩＤを送信するかを切り替えるＩＤ切り替えスイッチを有することを特徴とする請求項１または２記載のリモコン装置。
【請求項４】
請求項１〜３のいずれかに記載のリモコン装置を具備することを特徴とする照明器具。
【発明の詳細な説明】
【技術分野】
【０００１】
本発明は、リモコン操作を可能にするリモコン装置およびこれを具備する照明器具に関する。
【背景技術】
【０００２】
電化製品等の器具を遠隔操作可能とするリモコン装置が広く普及している。そして、照明器具の分野においても、照明器具を遠隔操作して、電源のオン／オフ、調光、間引き点灯等を行うリモコン装置を具備した照明器具が公知となっている。また、下記の特許文献１に示すように、照明器具にリモコン装置を後付け可能に構成されたものも公知となっている。
【０００３】
このようなリモコン装置は、一般的に、リモコン送信機およびリモコン受信機のそれぞれにＩＤを割り当て、リモコン送信機から送信されたＩＤと一致するＩＤを有するリモコン受信機のみリモコン送信機から送信された操作信号を許容する（遠隔操作可能とする）構成となっている。
【０００４】
さらに、同種および／または同メーカの器具を複数使用する場合に１のリモコン送信機で複数の器具が作動しないように（または複数の器具を作動させるべく）、リモコン送信機およびリモコン受信機のそれぞれが複数（多くの場合２つ）のＩＤを有するとともに、これらを切り替え可能とするＩＤ切り替えスイッチをリモコン送信機およびリモコン受信機の双方にそれぞれ具備しているものが公知である。このＩＤ切り替えスイッチとして、従来からＤＩＰスイッチやロータリースイッチ等が用いられている。
【特許文献１】特開平１０−３２１０３８号公報
【発明の開示】
【発明が解決しようとする課題】
【０００５】
しかし、このようなリモコン装置には、以下のような問題があった。すなわち、上記リモコン装置においては、リモコン送信機のＩＤを切り替えた際、このリモコン送信機によって動作する器具のリモコン受信機においてもリモコン送信機のＩＤに一致するＩＤに切り替える必要が生じるが、従来においては、リモコン送信機およびリモコン受信機の双方のＤＩＰスイッチ等を切り替える必要があり、煩雑であるという問題があった。すなわち、リモコン送信機においてＩＤを設定した後、いちいち、リモコン送信機に設定したＩＤの番号等をユーザが覚えておき、リモコン受信機においてもそのＩＤ番号等に対応する位置にＤＩＰスイッチ等を切り替える必要があった。
【０００６】
また、特に、ＩＤを３つ以上切り替え可能とする場合、例えば、３値以上に切り替え可能なスライド型のスイッチを用いると適正な位置にスライドしたかを目視する必要がある（両端以外の位置で停止させる必要が生じる）が、リモコン送信機側はともかく、リモコン受信機側において、リモコン受信機を備えた器具が手の届き難いところに固定されている場合や、意匠等の理由でスイッチが目立たない裏側等に設けられている場合等には、上記ＩＤ切り替えスイッチの目視および細かい切り替え操作が困難な場合が生じ得るという問題もあった。
【０００７】
とりわけ、照明器具は、天井や壁に取り付けるタイプのものも多く、手が届き難かったり、意匠的な理由からスイッチが裏側に隠されていたりと、ＩＤ切り替えスイッチの目視および切り替え操作が困難である場合が比較的多い実状もある。
【０００８】
本発明は、かかる従来技術の問題点を解決するべくなされたもので、リモコン受信機のＩＤ切り替えを容易かつ確実に行うことができるリモコン装置およびそれを具備する照明器具を提供することを目的とする。
【課題を解決するための手段】
【０００９】
本発明に係るリモコン装置は、所定のＩＤを有するリモコン送信機と、所定のＩＤを有するリモコン受信機とを具備し、所定の器具を遠隔操作するための操作信号とともに前記リモコン送信機から送信されるＩＤと前記リモコン受信機のＩＤとが一致する際に、前記リモコン受信機にて前記操作信号を許容するリモコン装置であって、前記リモコン受信機は、オンかオフかによりＩＤ変更を行うか否かを切り替えるＩＤ変更スイッチと、当該ＩＤ変更スイッチがオン状態にある間、前記リモコン送信機から送信されたＩＤをリモコン受信機のＩＤに設定するＩＤ切り替え設定部とを有するものである。
【００１０】
上記構成のリモコン装置によれば、リモコン送信機およびリモコン受信機は、それぞれ所定のＩＤを有している。リモコン送信機から操作信号とともに送信されるＩＤをリモコン受信機が受信すると、リモコン受信機は、送信された信号に含まれるＩＤがリモコン受信機の有するＩＤと一致する場合に、操作信号を許容し、リモコン受信機に接続された器具に対し操作信号を伝える。
【００１１】
ここで、リモコン受信機は、ＩＤ変更スイッチにより、リモコン受信機のＩＤを変更可能な状態とすることができる。ＩＤ変更スイッチはオンかオフかに切り替え可能であり、このＩＤ変更スイッチがオン状態にあるときに、リモコン送信機からＩＤを含む信号が送信された場合、リモコン受信機のＩＤ切り替え設定部により、当該リモコン送信機から送信されたＩＤがリモコン受信機のＩＤとして設定される。
【００１２】
このように、リモコン受信機においてＩＤ変更を行う際に、ＩＤ変更スイッチをオン状態にしさえすれば、リモコン送信機からＩＤを送信することによって、リモコン受信機側において操作信号を許容すべき信号か否かを認定するためのＩＤの切り替え設定を行うことができる。したがって、ユーザは、リモコン送信機のＩＤを覚える必要もなければ、リモコン受信機のＩＤ変更スイッチを目視する必要もなく、リモコン送信機を用いて容易かつ確実にＩＤ切り替え設定を行うことができる。これは、特に、多くのＩＤを切り替え可能とする場合に効果的である。
【００１３】
好ましくは、前記ＩＤ変更スイッチは、プッシュスイッチであるように構成される。
【００１４】
この場合、ＩＤ切り替え設定を行う場合に、プッシュスイッチが押下された状態でリモコン送信機からのＩＤを受信した際に、リモコン受信機のＩＤがリモコン送信機から送信されたＩＤに切り替え設定される。このようなプッシュボタンを用いることにより、目視することなく、オン状態か否かをより容易かつ確実に把握することができる。
【００１５】
好ましくは、前記リモコン送信機は、所定のＩＤを複数有し、当該複数のＩＤのうち、いずれのＩＤを送信するかを切り替えるＩＤ切り替えスイッチを有するように構成される。
【００１６】
この場合、リモコン送信機において、ＩＤ切り替えスイッチを切り替えることにより複数のＩＤのうち、いずれのＩＤを付加して操作信号を送信するかが切り替えられる。これにより、１のリモコン送信機で複数の照明器具を別個独立に操作することができる。
【００１７】
また、本発明に係る照明器具は、上記構成のリモコン装置を具備するものである。
【００１８】
上記構成の照明器具によれば、天井から吊り下げたり、手の届き難いところに固定されることの多い照明器具における電源のオン／オフや調光制御のためのリモコン装置として、上記構成を組み込むことにより、容易かつ確実にＩＤ切り替え設定を行うことができる。
【発明の効果】
【００１９】
本発明に係るリモコン装置によれば、リモコン受信機においてＩＤ変更を行う際に、ＩＤ変更スイッチをオン状態にしさえすれば、リモコン送信機からＩＤを送信することによって、リモコン受信機側において操作信号を許容すべき信号のＩＤの切り替え設定を行うことができる。したがって、ユーザは、リモコン送信機のＩＤを覚える必要もなければ、リモコン受信機のＩＤ変更スイッチを目視する必要もなく、リモコン送信機を用いて容易かつ確実にＩＤ切り替え設定を行うことができる。これは、特に、多くのＩＤを切り替え可能とする場合に効果的である。
【００２０】
また、本発明に係る照明器具によれば、天井から吊り下げたり、手の届き難いところに固定されることの多い照明器具における電源のオン／オフや調光制御のためのリモコン装置として、上記構成を組み込むことにより、容易かつ確実にＩＤ切り替え設定を行うことができる。
【発明を実施するための最良の形態】
【００２１】
以下、添付図面を参照しつつ、本発明を実施するための最良の形態について説明する。図１は本発明の一実施形態に係るリモコン装置の概略ブロック図である。なお、本実施形態においては、リモコン装置を適用する器具として照明器具を例にとって説明するが、照明器具以外の器具（例えば、エアコン、扇風機、テレビ、ビデオデッキ、オーディオ機器等の電化製品全般）についても適用可能である。
【００２２】
本実施形態に係るリモコン装置は、図１に示すように、所定のＩＤを有するリモコン送信機１と、所定のＩＤを有するリモコン受信機２とを具備し、所定の器具を遠隔操作するための操作信号とともに前記リモコン送信機１から送信されるＩＤ（送信ＩＤ）と前記リモコン受信機２のＩＤとが一致する際に、前記リモコン受信機２にて前記操作信号を許容するリモコン装置であって、前記リモコン受信機２は、オンかオフかによりＩＤ変更を行うか否かを切り替えるＩＤ変更スイッチ２１と、当該ＩＤ変更スイッチがオン状態にある間、前記リモコン送信機１から送信されたＩＤ（送信ＩＤ）をリモコン受信機２のＩＤに設定するＩＤ切り替え設定部２２とを有するものである。
【００２３】
本実施形態において、リモコン受信機２は、上記構成に加えて、リモコン送信機１の送信部１２からの信号を受信する受信部２３と、受信した信号のＩＤ認証を行った上で操作信号を照明器具へと伝える信号制御部２５と、複数のＩＤを記憶可能なメモリ２４と、ＩＤ変更スイッチ２１がオン状態にあるときに受信部２３が受信した信号に含まれる送信ＩＤをリモコン受信機２のＩＤに切り替え設定するＩＤ切り替え設定部２２とを具備し、ＩＤ変更スイッチ２１、ＩＤ切り替え設定部２２、受信部２３、メモリ２４および信号制御部２５は、信号バス２６に接続された状態で機能すべく構成される。
【００２４】
なお、メモリ２４は、ＲＡＭやＲＯＭ等が適宜適用可能であり、ＩＤ切り替え設定部２２および信号制御部２５は、ＣＰＵ等が適用可能である。
【００２５】
図２は本実施形態におけるリモコン受信機を備えた照明器具の外観図である。図２（ａ）はスタンドタイプの調光可能な照明器具であり、図２（ｂ）は天井吊り下げタイプの４灯の照明器具である。図１におけるリモコン受信機２の構成のうち、リモコン送信機１からの信号を受信するための受信部２３とＩＤ変更スイッチ２１が表出した状態で取り付けられており、他のリモコン受信機２の構成は、照明器具３に内蔵されている。
【００２６】
なお、ＩＤ変更スイッチ２１は、意匠等の理由から外見上なるべく目立たない位置に配設されることが好ましい。例えば、ＩＤ変更スイッチ２１は、照明器具３の内部に設置するとともに外部からアクセス可能に構成しておき、通常時（ＩＤ切り替え設定時以外）にはカバー等でＩＤ変更スイッチ２１（へのアクセスのための開口部）を被覆する構成を適用可能である。これは特に、美観が重要視される照明器具３について有効である。
【００２７】
一方、前記リモコン送信機１は、所定のＩＤを複数有し、当該複数のＩＤのうち、いずれのＩＤを前記送信ＩＤとして送信するかを切り替えるＩＤ切り替えスイッチ１１を有するように構成される。
【００２８】
また、本実施形態において、リモコン送信機１は、自己のＩＤ（複数）を記憶するメモリ１３と、ユーザインターフェイスである操作パネル１４と、操作パネル１４の指示に基づく操作信号を生成するとともに、当該操作信号にいずれかのＩＤを付加する信号生成部１５と、ＩＤ切り替えスイッチ１１の指示に基づいて信号生成部１５においてメモリ１３に記憶された複数のＩＤの中から送信すべきＩＤ（送信ＩＤ）を切り替える設定を行うＩＤ切り替え設定部１６と、信号生成部１５において生成された信号をリモコン受信機２に送信する送信部１２とを具備し、送信部１２、メモリ１３、信号生成部１５およびＩＤ切り替え設定部１６は、信号バス１７に接続された状態で機能すべく構成される。
【００２９】
なお、メモリ１３は、ＲＡＭやＲＯＭ等が適宜適用可能であり、ＩＤ切り替え設定部１６および信号生成部１５は、ＣＰＵ等が適用可能である。
【００３０】
図３は本実施形態におけるリモコン送信機の外観図である。図３のリモコン送信機１は、いずれかのＩＤに対応する照明器具３を遠隔操作するために送信部１２から信号を送信可能なリモコン送信機１であって、いずれのＩＤを送信ＩＤとするかを切り替えるＩＤ切り替えスイッチ１１と、操作するごとに、複数の照明状態のうちのいずれかに切り替える状態切り替えスイッチ１４１とを具備するものである。この状態切り替えスイッチ１４１を押下するごとに、所定の照明状態が切り替えられる。例えば、図２（ｂ）の照明器具３において、状態切り替えスイッチ１４１を押下するごとに、全灯点灯→間引き点灯（２灯／４灯）→消灯→全灯点灯→…が行われるように設定される。
【００３１】
また、本実施形態のリモコン送信機１においては、図３に示すように、調光用の調光スイッチ１４４ａ，１４４ｂも具備している。例えば、図２（ａ）の照明器具３において、調光スイッチ１４４ａを押下するごとに多段的に明るくなる調光が行われる一方、調光スイッチ１４４ｂを押下するごとに多段的に暗くなる調光が行われるように設定される。なお、調光スイッチ１４４ａ，１４４ｂを押下している間、連続的に明るくなる調光または暗くなる調光が行われるように設定されてもよい。また、調光スイッチ１４４を用いずに、状態切り替えスイッチ１４１のみで調光も行うこととする構成も可能である。例えば、図２（ａ）の照明器具３において、状態切り替えスイッチ１４１を押下するごとに、全灯点灯→８０％調光→５０％調光→３０％調光→消灯→全灯点灯→…が行われることとしてもよい。この場合、同じ状態切り替えスイッチ１４１を押下する操作を行っても、操作信号を受信した照明器具３によって異なる照明状態の切り替え態様を取り得るように構成することも可能である。
【００３２】
また、本実施形態においては、ＩＤ切り替えスイッチ１１が、ＩＤごとに割り振りが可能な割当てボタン１１１，…，１１６により構成されている。また、割り振られたＩＤすべてを同時に操作可能（すべてのＩＤを送信ＩＤとして送信可能）な一括ボタン１４３および所定のＩＤまたはすべてのＩＤの照明器具３を消灯するための消灯ボタン１４２も具備している。さらに、図３に示すような、所定の時間後に消灯する消灯タイマスイッチ１４５や所定の時間後に点灯する点灯タイマスイッチ１４６等、種々の操作を行うための各種スイッチを適宜設けることができる。
【００３３】
上記構成のリモコン送信機１によれば、ＩＤ切り替えスイッチ１１により（割当てボタン１１１，…．１１６のいずれかを押下することにより）、対応するＩＤがリモコン送信機１の送信ＩＤとして（操作信号に付加されるＩＤとして）メモリ１３に記憶される。
【００３４】
ここで、現在選択されている照明器具３を表示する表示部を設けてもよい。具体的には、例えば、割当てボタン１１１，…，１１６がボタンの押下によりそれぞれ発光可能とする構成であってもよい。
【００３５】
その後、状態切り替えスイッチ１４１を押下することにより、送信ＩＤおよび操作信号を含み、信号生成部１５において生成された送信信号Ｓが送信される。詳しくは後述する。なお、送信部１２から送信される信号は、電波であってもよいし、赤外線であってもよい。
【００３６】
このように、ＩＤ切り替えスイッチ１１を有することにより、１のリモコン送信機１で複数の照明器具を操作することができる。さらに、ＩＤ切り替えスイッチ１１を用いて照明状態の切り替えを行うことにより、１のスイッチで複数の照明器具３にそれぞれ設定されている様々な照明パターンの切り替えを容易に行うことができる。
【００３７】
なお、本実施形態においては、ＩＤ切り替えスイッチ１１として複数の割当てボタン１１１，…，１１６を例示したが、これには限定されず、例えば、１のボタンを押下するごとに送信ＩＤが切り替わる構成、数字入力ボタンと表示部とを有し、ＩＤごとに割り当てられた数字を入力ボタンにより入力することで送信ＩＤが切り替わる構成、レバーまたはスライド操作により回路接点が切り替わって、送信ＩＤが切り替わる構成等、種々適用可能である。
【００３８】
また、状態切り替えスイッチ１４１とは別にＩＤ送信スイッチを設け、送信ＩＤのみを送信可能に構成することとしてもよい。
【００３９】
上記構成のリモコン装置によれば、リモコン送信機１およびリモコン受信機２は、それぞれ所定のＩＤを有しており、それぞれのメモリ１３，２４に記憶されている。ここで、ＩＤは、これに限定されるものではないが、例えば、送信チャンネルごとに割り当てられた数字（チャンネル１、チャンネル２、…）等をデータ化したものが適用可能である。
【００４０】
図４は本実施形態におけるリモコン装置の操作の流れを示すフローチャートである。ユーザがリモコン送信機１の操作パネル１４を用いて電源オン／オフ等の操作指示を与える（ステップＳ１１）と、信号生成部１５は、当該操作指示に基づいて操作信号を生成する（ステップＳ１２）。この際、メモリから所定のＩＤを送信ＩＤとして読み出して操作信号に送信ＩＤを付加し、送信信号Ｓを生成する（ステップＳ１３）。図５はリモコン送信機から送信される送信信号の信号列の例を示す概念図である。図５に示すように、信号生成部１５において生成される送信信号Ｓは、ヘッダ、識別コード（他社製品との混信を避けるメーカコードや異種の製品間で混信を避ける製品コード等）、送信ＩＤ、操作信号、およびフッタ等を具備する。信号生成部１５において生成された上記送信信号Ｓは、送信部１２から送信される（ステップＳ１４）。
【００４１】
一方、このような送信信号Ｓは、リモコン受信機２の受信部２３に受信される（ステップＳ２１）。この際、識別コードの認証を行う。この後、ＩＤ変更スイッチ２１がオフ状態にあるか否かを判定する（ステップＳ２２）。ＩＤ変更スイッチ２１がオフ状態である場合（ステップＳ２２でＹｅｓ）、送信信号Ｓに含まれる（操作信号に付加された）送信ＩＤの認証を行う（ステップＳ２３）。すなわち、リモコン受信機２は、信号制御部２５において、自己のＩＤとして設定されているＩＤ（例えば、チャンネル１）をメモリ２４から読み出し、リモコン送信機１から送信された信号に含まれる送信ＩＤと一致するか否かを判定する（ステップＳ２４）。
【００４２】
この際、リモコン受信機２に設定されているＩＤ（例えば、チャンネル１）に対し、異なる送信ＩＤ（例えば、チャンネル２）が送信された場合（ステップＳ２４でＮｏ）、当該操作信号は受信した照明器具３に対する指示としては不適切であるため、照明器具に対して操作指示を行わない（操作信号は無視し、送信信号Ｓを消去する）。一方、リモコン受信機２に設定されているＩＤと操作信号に付加された送信ＩＤとが一致する場合（ステップＳ２４でＹｅｓ）、当該操作信号を許容し、リモコン受信機２に接続された照明器具に対し操作信号を伝える（ステップＳ２５）。
【００４３】
ここで、リモコン受信機２におけるＩＤ切り替え設定について説明する。リモコン受信機２は、ＩＤ変更スイッチ２１により、リモコン受信機２においてＩＤを変更可能な状態とすることができる。ＩＤ変更スイッチ２１はオンかオフかに切り替え可能であり、このＩＤ変更スイッチ２１がステップＳ２２においてオン状態にあるときに（ステップＳ２２でＮｏ）、リモコン送信機１からの送信信号Ｓに含まれるリモコン送信機１のＩＤを、リモコン受信機２におけるＩＤ切り替え設定部２２により、リモコン受信機２のＩＤとして設定し、メモリ２４に記憶させる（ステップＳ２６）。
【００４４】
なお、ステップＳ２６のＩＤ切り替え設定後に、ＩＤ切り替えに用いた送信ＩＤとともに送信された操作信号については、無効としてもよいし（図４において実線で示す）、有効として（図４において破線で示す）照明器具３に対して操作信号（電源オン／オフ、調光等）を伝えることとしてもよい。
【００４５】
このように、リモコン受信機２においてＩＤ変更を行う際に、ＩＤ変更スイッチ２１をオン状態にしさえすれば、リモコン送信機１の送信ＩＤを送信することによって、リモコン受信機２側において操作信号を許容すべき信号か否かを認定するためのＩＤの切り替え設定を行うことができる。したがって、ユーザは、リモコン送信機１のＩＤ（送信ＩＤ）を覚える必要もなければ、リモコン受信機２のＩＤ変更スイッチ２１を目視する必要もなく、リモコン送信機１を用いて容易かつ確実にＩＤ切り替え設定を行うことができる。これは、特に、多くのＩＤを切り替え可能とする場合に効果的である。
【００４６】
また、図２（ｂ）に示すような、天井から吊り下げたり、手の届き難いところに固定されることの多い照明器具に上記構成のリモコン装置を電源のオン／オフや調光制御のためのリモコン装置として適用することによって、容易かつ確実にＩＤ切り替え設定を行うことができる。
【００４７】
なお、リモコン受信機２は、リモコン送信機１の送信信号を受信可能に設計され、種々の照明器具３に後付け可能に構成された汎用リモコン受信機として構成してもよい。
【００４８】
本実施形態において、ＩＤ変更スイッチ２１は、図１や図２に示すように、プッシュスイッチであるように構成される。この場合、ＩＤ切り替え設定を行う場合に、プッシュスイッチが押下された状態でリモコン送信機１からの送信ＩＤを受信した際に、リモコン受信機２のＩＤが送信されたリモコン送信機１から送信された送信ＩＤに切り替え設定される。このようなプッシュボタンを用いることにより、目視することなく（手探りでも）、オン状態か否かをより容易かつ確実に把握することができる。
【００４９】
なお、一度押下するとオン状態が維持されるロック機構を備えるプッシュスイッチを用いることとしてもよい。手の届き難いところに取り付けられる照明器具３であってＩＤ変更スイッチ２１であるプッシュスイッチを押下しながらリモコン送信機１を操作することが比較的困難な場合等に有効である。また、この際、ロック機構の解除についてオン状態でもう一度プッシュボタンを押下することによりオフ状態に復帰する構成を採用してもよいし、ＩＤ変更スイッチ２１がオン状態にあるリモコン受信機２にリモコン送信機１から送信ＩＤが送信され、ＩＤが切り替え設定された後に（ステップＳ２６の後に）、ＩＤ変更スイッチ２１のロック状態を解除する（オン状態をオフ状態に自働復帰させる）機構を電気回路等を用いて形成することとしてもよい。
【００５０】
ここで、本実施形態においては、ＩＤ変更スイッチ２１としてプッシュスイッチを用いたが、オンかオフかを切り替え可能なスイッチであれば、これに限定されるものではなく種々適用可能である。例えば、２値（オン／オフ）のいずれかに切り替え可能な（中間値を取らない）、スライドスイッチ、トグルスイッチ、ＤＩＰスイッチ、レバースイッチ等が適用可能である。これらの場合であっても、ロック機構を有する（オン状態を維持する構成）としてもよいし、オフ状態に自働復帰する構成としてもよい。
【図面の簡単な説明】
【００５１】
【図１】本発明の一実施形態に係るリモコン装置の概略ブロック図である。
【図２】本実施形態におけるリモコン受信機を備えた照明器具の外観図である。
【図３】本実施形態におけるリモコン送信機の外観図である。
【図４】本実施形態におけるリモコン装置の操作の流れを示すフローチャートである。
【図５】リモコン送信機から送信される信号列の例を示す概念図である。
【符号の説明】
【００５２】
１  リモコン送信機
１１  ＩＤ切り替えスイッチ
２  リモコン受信機
２１  ＩＤ変更スイッチ
２２  ＩＤ切り替え設定部
３  照明器具
【図１】
2006013572.tif 000003
【図２】
2006013572.tif 000004
【図３】
2006013572.tif 000005
【図４】
2006013572.tif 000006
【図５】
2006013572.tif 000007